(57)【要約】【課題】  キーワード設定作業にかかる負荷を格段と低減し得るようにする。【解決手段】  各機器（２、３、４）は、キーワードを新規設定するキーワード新規設定操作やキーワードを追加設定するキーワード追加設定操作やキーワードを除外設定するキーワード除外設定操作等のキーワード設定操作が行われると、自身のキーワード設定を変更すると共に、当該設定変更内容を通知するための設定変更内容通知情報（ＩＮＦ１、ＩＮＦ２、ＩＮＦ３）を他の機器（２、３、４）に対して送信する。また各機器（２、３、４）は、他の機器（２、３、４）から受信した設定変更内容通知情報（ＩＮＦ１、ＩＮＦ２、ＩＮＦ３）に基づいて自身のキーワード設定を変更するようにした。【選択図】          図１
2005333476.tif 000002
【特許請求の範囲】
【請求項１】
外部装置と通信する通信手段と、
放送情報を受信し当該受信した放送情報を放送データに変換して出力する放送受信手段と、
上記放送受信手段から出力される上記放送データを記録媒体に記録する記録手段と、
キーワードを設定する設定手段と、
上記放送情報に関連する番組表の中から上記設定手段により設定された上記キーワードに関連する番組を検出する番組検出手段と、
上記番組検出手段により検出された番組の上記放送データを上記記録媒体に記録するように上記記録手段を制御する記録制御手段と、
上記設定手段により上記キーワードの設定が更新された場合、当該更新内容を示したキーワード更新情報を上記外部装置に対して送信するように上記通信手段を制御する通信制御手段と
を具えることを特徴とする情報処理装置。
【請求項２】
上記通信制御手段は、上記設定手段によりキーワードが追加設定された場合、少なくとも当該追加設定されたキーワードを示した上記キーワード更新情報を上記外部装置に対して送信するように上記通信手段を制御する
ことを特徴とする請求項１に記載の情報処理装置。
【請求項３】
上記通信制御手段は、上記設定手段により既に設定されているキーワードが削除された場合、少なくとも当該削除されたキーワードを示した上記キーワード更新情報を上記外部装置に対して送信するように上記通信手段を制御する
ことを特徴とする請求項１に記載の情報処理装置。
【請求項４】
上記設定手段によりキーワードが設定される際、キーワードの入力を支援するテンプレートを出力するテンプレート出力手段と、
上記テンプレートに対して追加すべき新たなキーワードが入力されると、当該新たなキーワードを上記テンプレートに対して追加するテンプレート更新手段と
を有し、
上記設定手段は、上記テンプレート出力手段により出力されたテンプレートの中から一のキーワードが選択された場合、当該選択された一のキーワードを設定する
ことを特徴とする請求項１に記載の情報処理装置。
【請求項５】
上記通信制御手段は、上記テンプレート更新手段により上記テンプレートが更新された場合、当該更新内容を示したテンプレート更新情報を上記外部装置に対して送信するように上記通信手段を制御する
ことを特徴とする請求項４に記載の情報処理装置。
【請求項６】
第１の情報処理装置と第２の情報処理装置とが通信可能に接続されるキーワード設定システムにおいて、
上記第１の情報処理装置は、
上記第２の情報処理装置と通信する通信手段と、
第１の放送情報を受信し当該受信した第１の放送情報を第１の放送データに変換して出力する第１の放送受信手段と、
上記第１の放送受信手段から出力される上記第１の放送データを第１の記録媒体に記録する第１の記録手段と、
キーワードを設定する第１の設定手段と、
上記第１の放送情報に関連する番組表の中から上記第１の設定手段により設定された上記キーワードに関連する番組を検出する第１の番組検出手段と、
上記第１の番組検出手段により検出された番組の上記第１の放送データを上記第１の記録媒体に記録するように上記第１の記録手段を制御する第１の記録制御手段と、
上記第１の設定手段により上記キーワードの設定が更新された場合、当該更新内容を示したキーワード更新情報を上記第２の情報処理装置に対して送信するように上記通信手段を制御する通信制御手段と
を具え、
上記第２の情報処理装置は、
上記キーワード更新情報を受信する受信手段と、
キーワードを設定する第２の設定手段と、
上記受信手段により受信したキーワード更新情報に基づいて、上記第２の設定手段により設定されるキーワードの設定を更新するキーワード設定更新手段と、
第２の放送情報を受信し当該受信した第２の放送情報を第２の放送データに変換して出力する第２の放送受信手段と、
上記第２の放送受信手段から出力される上記第２の放送データを第２の記録媒体に記録する第２の記録手段と、
上記第２の放送情報に関連する番組表の中から上記キーワード設定更新手段により更新された上記キーワードに関連する番組を検出する第２の番組検出手段と、
上記第２の番組検出手段により検出された番組の上記第２の放送データを上記第２の記録媒体に記録するように上記第２の記録手段を制御する第２の記録制御手段と
を具えることを特徴とするキーワード設定システム。
【請求項７】
上記第１の情報処理装置は、
上記第１の設定手段によりキーワードが追加設定された場合、上記通信制御手段により、少なくとも当該追加設定されたキーワードを示した上記キーワード更新情報を上記第２の情報処理装置に対して送信するように上記通信手段を制御し、
上記第２の情報処理装置は、
上記受信手段を介して上記第１の情報処理装置からの上記キーワード更新情報を受信した場合、上記キーワード設定更新手段により、当該受信したキーワード更新情報に示されている上記追加設定されたキーワード基づいて、現在設定されているキーワードを更新する
ことを特徴とする請求項６に記載のキーワード設定システム。
【請求項８】
上記第１の情報処理装置は、
上記第１の設定手段により既に設定されているキーワードが削除された場合、上記通信制御手段により、少なくとも当該削除されたキーワードを示した上記キーワード更新情報を上記第２の情報処理装置に対して送信するように上記通信手段を制御し、
上記第２の情報処理装置は、
上記受信手段を介して上記第１の情報処理装置からの上記キーワード更新情報を受信した場合、上記キーワード設定更新手段により、当該受信したキーワード更新情報に示されている上記削除されたキーワード基づいて、現在設定されているキーワードを更新する
ことを特徴とする請求項６に記載のキーワード設定システム。
【請求項９】
上記第１の情報処理装置は、
上記第１の設定手段によりキーワードの設定が更新された場合、上記通信制御手段により、当該更新内容を示した上記キーワード更新情報を上記第２の情報処理装置に対して送信するように上記通信手段を制御し、
上記第２の情報処理装置は、
上記受信手段を介して上記第１の情報処理装置からの上記キーワード更新情報を受信した場合、上記キーワード設定更新手段により、当該受信したキーワード更新情報に示されている上記更新内容と同じになるように、現在設定されているキーワードを更新する
ことを特徴とする請求項６に記載のキーワード設定システム。
【請求項１０】
上記第１の情報処理装置は、
上記第１の設定手段によりキーワードが設定される際、キーワードの入力を支援する第１のテンプレートを出力する第１のテンプレート出力手段と、
上記第１のテンプレートに対して追加すべき新たなキーワードが入力されると、当該新たなキーワードを上記第１のテンプレートに対して追加する第１のテンプレート更新手段とを有し、上記第１の設定手段は、上記第１のテンプレート出力手段により出力された上記第１のテンプレートの中から一のキーワードが選択された場合、当該選択された一のキーワードを設定し、
上記第２の情報処理装置は、
上記第２の設定手段によりキーワードが設定される際、キーワードの入力を支援する第２のテンプレートを出力する第２のテンプレート出力手段と、
上記第２のテンプレートに対して追加すべき新たなキーワードが入力されると、当該新たなキーワードを上記第２のテンプレートに対して追加する第２のテンプレート更新手段とを有し、上記第２の設定手段は、上記第２のテンプレート出力手段により出力された上記第２のテンプレートの中から一のキーワードが選択された場合、当該選択された一のキーワードを設定する
ことを特徴とする請求項６に記載のキーワード設定システム。
【請求項１１】
上記第１の情報処理装置の上記通信制御手段は、上記第１のテンプレート更新手段により上記第１のテンプレートが更新された場合、当該更新内容を示したテンプレート更新情報を上記第２の情報処理装置に対して送信するように上記通信手段を制御し、
上記第２の情報処理装置の上記第２のテンプレート更新手段は、上記受信手段を介して受信した上記テンプレート更新情報に示された上記更新内容と同じになるように、上記第２のテンプレートを更新する
ことを特徴とする請求項１０に記載のキーワード設定システム。
【請求項１２】
第１の情報処理装置と第２の情報処理装置とが通信可能に接続されるキーワード設定システムにおいて、
上記第１の情報処理装置は、
上記第２の情報処理装置と通信する通信手段と、
キーワードを設定する第１の設定手段と、
上記第１の設定手段により上記キーワードの設定が更新された場合、当該更新内容を示したキーワード更新情報を上記第２の情報処理装置に対して送信するように上記通信手段を制御する通信制御手段と
を具え、
上記第２の情報処理装置は、
上記キーワード更新情報を受信する受信手段と、
キーワードを設定する第２の設定手段と、
上記受信手段により受信したキーワード更新情報に基づいて、上記第２の設定手段により設定されるキーワードの設定を更新するキーワード設定更新手段と、
放送情報を受信し当該受信した放送情報を放送データに変換して出力する放送受信手段と、
上記放送受信手段から出力される上記放送データを記録媒体に記録する記録手段と、
上記放送情報に関連する番組表の中から上記キーワード設定更新手段により更新された上記キーワードに関連する番組を検出する番組検出手段と、
上記番組検出手段により検出された番組の上記放送データを上記記録媒体に記録するように上記記録手段を制御する記録制御手段と
を具えることを特徴とするキーワード設定システム。
【請求項１３】
上記第１の情報処理装置は、
上記第１の設定手段によりキーワードが追加設定された場合、上記通信制御手段により、少なくとも当該追加設定されたキーワードを示した上記キーワード更新情報を上記第２の情報処理装置に対して送信するように上記通信手段を制御し、
上記第２の情報処理装置は、
上記受信手段を介して上記第１の情報処理装置からの上記キーワード更新情報を受信した場合、上記キーワード設定更新手段により、当該受信したキーワード更新情報に示されている上記追加設定されたキーワード基づいて、現在設定されているキーワードを更新する
ことを特徴とする請求項１２に記載のキーワード設定システム。
【請求項１４】
上記第１の情報処理装置は、
上記第１の設定手段により既に設定されているキーワードが削除された場合、上記通信制御手段により、少なくとも当該削除されたキーワードを示した上記キーワード更新情報を上記第２の情報処理装置に対して送信するように上記通信手段を制御し、
上記第２の情報処理装置は、
上記受信手段を介して上記第１の情報処理装置からの上記キーワード更新情報を受信した場合、上記キーワード設定更新手段により、当該受信したキーワード更新情報に示されている上記削除されたキーワードに基づいて、現在設定されているキーワードを更新する
ことを特徴とする請求項１２に記載のキーワード設定システム。
【請求項１５】
上記第１の情報処理装置は、
上記第１の設定手段によりキーワードの設定が更新された場合、上記通信制御手段により、当該更新内容を示した上記キーワード更新情報を上記第２の情報処理装置に対して送信するように上記通信手段を制御し、
上記第２の情報処理装置は、
上記受信手段を介して上記第１の情報処理装置からの上記キーワード更新情報を受信した場合、上記キーワード設定更新手段により、当該受信したキーワード更新情報に示されている上記更新内容と同じになるように、現在設定されているキーワードを更新する
ことを特徴とする請求項１２に記載のキーワード設定システム。
【請求項１６】
上記第１の情報処理装置は、
上記第１の設定手段によりキーワードが設定される際、キーワードの入力を支援する第１のテンプレートを出力する第１のテンプレート出力手段と、
上記第１のテンプレートに対して追加すべき新たなキーワードが入力されると、当該新たなキーワードを上記第１のテンプレートに対して追加する第１のテンプレート更新手段とを有し、上記第１の設定手段は、上記第１のテンプレート出力手段により出力された上記第１のテンプレートの中から一のキーワードが選択された場合、当該選択された一のキーワードを設定し、
上記第２の情報処理装置は、
上記第２の設定手段によりキーワードが設定される際、キーワードの入力を支援する第２のテンプレートを出力する第２のテンプレート出力手段と、
上記第２のテンプレートに対して追加すべき新たなキーワードが入力されると、当該新たなキーワードを上記第２のテンプレートに対して追加する第２のテンプレート更新手段とを有し、上記第２の設定手段は、上記第２のテンプレート出力手段により出力された上記第２のテンプレートの中から一のキーワードが選択された場合、当該選択された一のキーワードを設定する
ことを特徴とする請求項１２に記載のキーワード設定システム。
【請求項１７】
上記第１の情報処理装置の上記通信制御手段は、上記第１のテンプレート更新手段により上記第１のテンプレートが更新された場合、当該更新内容を示したテンプレート更新情報を上記第２の情報処理装置に対して送信するように上記通信手段を制御し、
上記第２の情報処理装置の上記第２のテンプレート更新手段は、上記受信手段を介して受信した上記テンプレート更新情報に示された上記更新内容と同じになるように、上記第２のテンプレートを更新する
ことを特徴とする請求項１６に記載のキーワード設定システム。
【請求項１８】
情報処理装置のキーワード設定方法において、
キーワードを設定する設定ステップと、
放送情報に関連する番組表の中から上記設定ステップにより設定された上記キーワードに関連する番組を検出する番組検出ステップと、
上記番組検出ステップにより検出された番組の上記放送情報を受信し、当該受信した放送情報を放送データに変換して記録媒体に記録する記録ステップと、
上記キーワードの設定が更新された場合、当該更新内容を示したキーワード更新情報を外部装置に対して送信する通信ステップと
を具えることを特徴とするキーワード設定方法。
【請求項１９】
第１の情報処理装置及び当該第１の情報処理装置と通信可能に接続された第２の情報処理装置からなるシステムのキーワード設定方法において、
上記第１の情報処理装置が、キーワードを設定する第１の設定ステップと、
上記第１の情報処理装置が、第１の放送情報に関連する番組表の中から上記第１の設定ステップにより設定された上記キーワードに関連する番組を検出する第１の番組検出ステップと、
上記第１の情報処理装置が、上記第１の番組検出ステップにより検出された番組の上記第１の放送情報を受信し、当該受信した第１の放送情報を放送データに変換して第１の記録媒体に記録する第１の記録ステップと、
上記第１の情報処理装置が、第１の設定ステップにより設定された上記キーワードを更新した場合、当該更新内容を示したキーワード更新情報を上記第２の情報処理装置に対して送信する通信ステップと
上記第２の情報処理装置が、キーワードを設定する第２の設定ステップと、
上記第２の情報処理装置が、上記第１の情報処理装置からの上記キーワード更新情報を受信する受信ステップと、
上記第２の情報処理装置が、上記受信したキーワード更新情報に基づいて、上記第２の設定ステップにより設定されたキーワードを更新するキーワード設定更新ステップと、
上記第２の情報処理装置が、第２の放送情報に関連する番組表の中から上記キーワード設定更新ステップにより更新された上記キーワードに関連する番組を検出する第２の番組検出ステップと、
上記第２の情報処理装置が、上記第２の番組検出ステップにより検出された番組の上記第２の放送情報を受信し、当該受信した上記第２の放送情報を放送データに変換して第２の記録媒体に記録する記録ステップと
を具えることを特徴とするキーワード設定方法。
【請求項２０】
第１の情報処理装置及び当該第１の情報処理装置と通信可能に接続された第２の情報処理装置からなるシステムのキーワード設定方法において、
上記第１の情報処理装置が、キーワードを設定する第１の設定ステップと、
上記第１の情報処理装置が、上記第１の設定ステップにより設定されたキーワードを更新した場合、当該更新内容を示したキーワード更新情報を上記第２の情報処理装置に対して送信する通信ステップと
上記第２の情報処理装置が、キーワードを設定する第２の設定ステップと、
上記第２の情報処理装置が、上記第１の情報処理装置からの上記キーワード更新情報を受信する受信ステップと、
上記第２の情報処理装置が、上記受信したキーワード更新情報に基づいて、上記第２の設定ステップにより設定されたキーワードを更新するキーワード設定更新ステップと、
上記第２の情報処理装置が、放送情報に関連する番組表の中から上記キーワード設定更新ステップにより更新された上記キーワードに関連する番組を検出する番組検出ステップと、
上記第２の情報処理装置が、上記番組検出ステップにより検出された番組の上記放送情報を受信し、当該受信した上記放送情報を放送データに変換して記録媒体に記録する記録ステップと
を具えることを特徴とするキーワード設定方法。
【請求項２１】
情報処理装置に対し、
キーワードを設定する設定ステップと、
放送情報に関連する番組表の中から上記設定ステップにより設定された上記キーワードに関連する番組を検出する番組検出ステップと、
上記番組検出ステップにより検出された番組の上記放送情報を受信し、当該受信した放送情報を放送データに変換して記録媒体に記録する記録ステップと、
上記キーワードの設定が更新された場合、当該更新内容を示したキーワード更新情報を外部装置に対して送信する通信ステップと
を実行させるキーワード設定プログラム。
【発明の詳細な説明】
【技術分野】
【０００１】
本発明はキーワード設定システムに関し、例えば、予め設定されたキーワードに基づいてテレビ番組を録画するビデオレコーダ等に対し、そのキーワードを設定する場合に適用して好適なものである。
【背景技術】
【０００２】
従来、テレビ局から放送される複数種のテレビ番組のうち、ユーザにより予め設定されたキーワードに応じたテレビ番組を録画するようになされたビデオレコーダがある（例えば特許文献１）。
【特許文献１】特開平３−３５４５１号公報
【発明の開示】
【発明が解決しようとする課題】
【０００３】
ところで、このようにテレビ番組を録画するビデオレコーダだけでなく、ユーザにより予め設定されたキーワードに応じてテレビ番組以外のコンテンツデータ（ラジオ番組等）を記録する種々のコンテンツデータ記録装置が普及することが考えられる。
【０００４】
その場合ユーザは、ビデオレコーダやその他所有しているコンテンツデータ記録装置に対して同じキーワードを設定すれば、そのキーワードに該当するテレビ番組及びその他種々のコンテンツデータをまとめて取得することができ、かくして利便性を向上することができると考えられる。
【０００５】
しかしながらこのようにするためには、ユーザがビデオレコーダやその他所有するコンテンツデータ記録装置のそれぞれに対し、同じキーワードを設定するための操作を行わなければならないので、キーワード設定対象のビデオレコーダ及びコンテンツデータ記録装置の台数が増えるほど、キーワード設定作業にかかる負荷が重くなってしまう問題が生じる。
【０００６】
本発明は以上の点を考慮してなされたもので、キーワード設定作業にかかる負荷を格段と低減し得るキーワード設定システムを提案しようとするものである。
【課題を解決するための手段】
【０００７】
かかる課題を解決するため本発明においては、第１の情報処理装置と第２の情報処理装置とが通信可能に接続されるキーワード設定システムにおいて、第１の情報処理装置は、第２の情報処理装置と通信する通信手段と、第１の放送情報を受信し当該受信した第１の放送情報を第１の放送データに変換して出力する第１の放送受信手段と、第１の放送受信手段から出力される第１の放送データを第１の記録媒体に記録する第１の記録手段と、キーワードを設定する第１の設定手段と、第１の放送情報に関連する番組表の中から第１の設定手段により設定されたキーワードに関連する番組を検出する第１の番組検出手段と、第１の番組検出手段により検出された番組の放送データを第１の記録媒体に記録するように第１の記録手段を制御する第１の記録制御手段と、第１の設定手段によりキーワードの設定が更新された場合、当該更新内容を示したキーワード更新情報を第２の情報処理装置に対して送信するように通信手段を制御する通信制御手段とを備え、第２の情報処理装置は、キーワード更新情報を受信する受信手段と、キーワードを設定する第２の設定手段と、受信手段により受信したキーワード更新情報に基づいて、第２の設定手段により設定されるキーワードの設定を更新するキーワード設定更新手段と、第２の放送情報を受信し当該受信した第２の放送情報を第２の放送データに変換して出力する第２の放送受信手段と、第２の放送受信手段から出力される第２の放送データを第２の記録媒体に記録する第２の記録手段と、第２の放送情報に関連する番組表の中からキーワード設定更新手段により更新されたキーワードに関連する番組を検出する第２の番組検出手段と、第２の番組検出手段により検出された番組の第２の放送データを第２の記録媒体に記録するように第２の記録手段を制御する第２の記録制御手段とを備えるようにした。
【０００８】
この結果、第１の情報処理装置に行われたキーワード設定を、第２の情報処理装置に対して反映させることができる。
【発明の効果】
【０００９】
本発明によれば、第１の情報処理装置に行われたキーワード設定を、第２の情報処理装置に対して反映させることができ、この結果、キーワード設定作業にかかる負荷を格段と低減させることができる。
【発明を実施するための最良の形態】
【００１０】
以下図面について、本発明の一実施の形態を詳述する。
【００１１】
（１）キーワード設定システム
図１において、１は全体としてキーワード設定システムを示し、家庭内ＬＡＮ（Local Area Network）等に相当するネットワークＮＴに対し、テレビ放送局から放送されるテレビ番組をハードディスクドライブに録画するビデオレコーダ２と、テレビ放送局から放送されるテレビ番組の映像及び音声を出力するテレビ３と、ラジオ放送局から放送されるラジオ番組の音声を出力するオーディオ機器４とが接続されて構成されている。
【００１２】
またこれらビデオレコーダ２、テレビ３及びオーディオ機器４は、ネットワークＮＴ及びインターネットＩＮＴを順次介して、テレビ番組表データ配信サーバ５及びラジオ番組表データ配信サーバ６と接続している。
【００１３】
テレビ番組表データ配信サーバ５は、テレビ放送局から放送されるテレビ番組のチャンネルや放送時間帯や番組内容情報等が示されたテレビ番組表データ（テレビ向けのＥＰＧ（Electric Program Guide））を、インターネットＩＮＴ及びネットワークＮＴを順次介して、ビデオレコーダ２、テレビ３及びオーディオ機器４へ配信する。
【００１４】
ラジオ番組表データ配信サーバ６は、ラジオ放送局から放送されるラジオ番組の放送周波数や放送時間帯や番組内容情報等が示されたラジオ番組表データ（ラジオ番組向けのＥＰＧ）を、インターネットＩＮＴ及びネットワークＮＴを順次介して、ビデオレコーダ２、テレビ３及びオーディオ機器４へ配信する。
【００１５】
ここで例えば図２に示すビデオレコーダ２の操作部１１を介して、ユーザがキーワードを新規設定するためのキーワード新規設定操作としてキーワード「サッカー」を入力すると、これに応じてビデオレコーダ２を統括的に制御する制御部１２は、このキーワード「サッカー」を示した設定情報を生成し、これを設定情報記憶部１３に記憶する。かくしてキーワード新規設定操作により入力されたキーワード「サッカー」が、ビデオレコーダ２に対して新規設定されるようになされている。
【００１６】
またこのビデオレコーダ２の制御部１２は、テレビ番組表データ配信サーバ５から配信されるテレビ番組表データを、ネットワークＮＴ及び送受信部１４を順次介して受信すると、当該受信したテレビ番組表データに示されている複数のテレビ番組の中から、設定情報記憶部１３に記憶中の設定情報に示されているキーワード「サッカー」に関連するテレビを特定し、当該特定したテレビ番組の放送時間帯（放送開始時刻及び放送終了時刻）とチャンネル番号とを認識する。
【００１７】
因みに本実施の形態の場合このビデオレコーダ２の制御部１２は、テレビ番組表データに示されている番組内容情報等においてキーワード「サッカー」が含まれているテレビ番組を検索し、その検索に該当したテレビ番組を、当該キーワード「サッカー」に関連するテレビ番組として特定するようになされている。
【００１８】
やがてこのビデオレコーダ２の制御部１２は、その内部のＲＴＣ回路（図示せず）によって計時している現在時刻が、当該認識したテレビ番組の放送開始時刻に至ると、当該認識したテレビ番組のチャンネル番号に基づいてチューナ部１５を制御する。この結果このチューナ部１５は、アンテナを介してテレビ放送局から受信している複数種のテレビ放送信号の中から、「サッカー」に関連するテレビ番組のテレビ放送信号を選択し、当該選択したテレビ放送信号を復調部１６へ送出する。
【００１９】
復調部１６は制御部１２による制御のもと、チューナ部１５からのテレビ放送信号に対して復調処理を施し、この結果得られたテレビ番組データを、分離部１７を介してテレビ番組データ記憶部１８に記憶する。因みに本実施の形態の場合、このテレビ番組データ記憶部１８がハードディスクドライブに相当する。
【００２０】
このようにしてこのビデオレコーダ２は、ユーザにキーワード「サッカー」を予め設定させておけば、この後ユーザに録画予約操作等を行わせなくとも、「サッカー」に関連するテレビ番組のテレビ番組データを、自動的に録画することができる。
【００２１】
因みにユーザにより、当該録画したテレビ番組データを再生する再生操作が操作部１１に対して行われると、これに応じてビデオレコーダ２の制御部１２は、テレビ番組データ記憶部１８からテレビ番組データを読み出して、分離部１７に対して供給する。分離部１７は、供給されたテレビ番組データを映像データ及び音声データに分離し、当該映像データを映像データ処理部１９に対して供給する一方、当該音声データを音声データ処理部２０に対して供給する。映像データ処理部１９は、供給される映像データにデコード処理を施し、得られた映像信号をテレビ３に対して供給することにより、当該映像信号に基づくテレビ番組映像をテレビ３に表示させる。また音声データ処理部２０は、供給される音声データにデコード処理を施し、得られた音声信号をテレビ３に対して供給することにより、当該音声信号に基づくテレビ番組音声をテレビ３に放音させる。
【００２２】
ところでこのビデオレコーダ２の制御部１２は、ユーザのキーワード新規設定操作によりキーワード「サッカー」が設定されたとき、キーワード「サッカー」が新たに設定された旨を通知するための新規設定内容通知情報ＩＮＦ１を、送受信部１４及びネットワークＮＴを介して、テレビ３及びオーディオ機器４に対して送信する。
【００２３】
このとき図３に示すテレビ３では、全体を統括的に制御する制御部２１が、ビデオレコーダ２からの新規設定内容通知情報ＩＮＦ１を、ネットワークＮＴ及び送受信部２２を順次介して受信し、当該受信した新規設定内容通知情報ＩＮＦ１に基づいて、ビデオレコーダ２に対してキーワード「サッカー」が新規設定されたことを認識すると、このキーワード「サッカー」を示した設定情報を生成し、これを設定情報記憶部２３に記憶する。かくしてビデオレコーダ２に対するキーワード新規設定操作により入力されたキーワード「サッカー」が、テレビ３に対しても新規設定されるようになされている。
【００２４】
またこのテレビ３の制御部２１は、テレビ番組表データ配信サーバ５から配信されるテレビ番組表データを、ネットワークＮＴ及び送受信部２２を順次介して受信すると、当該受信したテレビ番組表データに示されている複数のテレビ番組の中から、設定情報記憶部２３に記憶中の設定情報に示されているキーワード「サッカー」に関連するテレビ番組を特定し、当該特定したテレビ番組の放送時間帯（放送開始時刻及び放送終了時刻）とチャンネル番号と認識をする。
【００２５】
因みに本実施の形態の場合このテレビ３の制御部２１は、テレビ番組表データに示されている番組内容情報等においてキーワード「サッカー」が含まれているテレビ番組を検索し、その検索に該当したテレビ番組を、当該キーワード「サッカー」に関連するテレビ番組として特定するようになされている。
【００２６】
やがてこのテレビ３の制御部２１は、その内部のＲＴＣ回路（図示せず）によって計時している現在時刻が、当該認識したテレビ番組の放送開始時刻に至ると、当該認識したテレビ番組のチャンネル番号に基づいてチューナ部２４を制御する。この結果このチューナ部２４は、アンテナを介してテレビ放送局から受信している複数種のテレビ放送信号の中から、「サッカー」に関連するテレビ番組のテレビ放送信号を選択し、当該選択したテレビ放送信号を復調部２５へ送出する。
【００２７】
復調部２５は制御部２１による制御のもと、チューナ部２４からのテレビ放送信号に対して復調処理を施し、この結果得られたテレビ番組の映像信号及び音声信号を、表示部２６及びスピーカ２７に対してそれぞれ供給する。この結果この表示部２６には、「サッカー」に関連するテレビ番組の映像が表示され、またスピーカ２７からは、これに応じた音声が出力される。
【００２８】
このようにしてこのテレビ３は、キーワード「サッカー」に関連するテレビ番組の放送開始時刻に至ると、ユーザに選局操作等を行わせることなく、このテレビ番組を自動選局するようになされている。
【００２９】
一方図４に示すオーディオ機器４においても、全体を統括的に制御する制御部３１が、ビデオレコーダ２からの新規設定内容通知情報ＩＮＦ１を、ネットワークＮＴ及び送受信部３２を順次介して受信し、当該受信した新規設定内容通知情報ＩＮＦ１に基づいて、ビデオレコーダ２に対してキーワード「サッカー」が新規設定されたことを認識すると、このキーワード「サッカー」を示した設定情報を生成し、これを設定情報記憶部３３に記憶する。かくしてビデオレコーダ２に対するキーワード新規設定操作により入力されたキーワード「サッカー」が、オーディオ機器４に対しても新規設定される。
【００３０】
またこのオーディオ機器４の制御部３１は、ラジオ番組表データ配信サーバ６から配信されるラジオ番組表データを、ネットワークＮＴ及び送受信部３２を順次介して受信すると、当該受信したラジオ番組表データに示されている複数のラジオ番組の中から、設定情報記憶部３３に記憶中の設定情報に示されているキーワード「サッカー」に関連するラジオ番組を特定し、当該特定したラジオ番組の放送時間帯（放送開始時刻及び放送終了時刻）と放送周波数とを認識する。
【００３１】
因みに本実施の形態の場合このオーディオ機器４の制御部３１は、ラジオ番組表データに示されている番組内容情報等においてキーワード「サッカー」が含まれているラジオ番組を検索し、その検索に該当したラジオ番組を、当該キーワード「サッカー」に関連するラジオ番組として特定するようになされている。
【００３２】
やがてこのオーディオ機器４の制御部３１は、その内部のＲＴＣ回路（図示せず）によって計時している現在時刻が、当該認識したラジオ番組の放送開始時刻に至ると、当該認識したラジオ番組の放送周波数に基づいてチューナ部３４を制御する。この結果このチューナ部３４は、アンテナを介してラジオ放送局から受信している複数種のラジオ放送信号の中から、「サッカー」に関連するラジオ番組のラジオ放送信号を選択し、当該選択したラジオ放送信号を復調部３５へ送出する。
【００３３】
復調部３５は制御部３１による制御のもと、チューナ部３４からのラジオ放送信号に対して復調処理を施し、この結果得られたラジオ番組データを、ラジオ番組データ記憶部３６に記憶する。
【００３４】
このようにしてこのオーディオ機器４は、ユーザに録音予約操作等を行わせなくとも、「サッカー」に関連するラジオ番組のラジオ番組データを、自動的に録音することができる。
【００３５】
因みにユーザにより、当該録音したラジオ番組データを再生する再生操作が操作部３７に対して行われると、これに応じて制御部３１は、ラジオ番組データ記憶部３６からラジオ番組データを読み出して、これを音声処理部３８に対して供給する。音声処理部３８は、供給されるラジオ番組データにデコード処理等を施し、得られた音声信号をスピーカ３９に対して供給する。かくしてスピーカ３９からは、「サッカー」に関連するラジオ番組の音声が放音される。
【００３６】
なお本実施の形態の場合このオーディオ機器４は、ＣＤ（Compact Disc）やＭＤ（Mini Disk）等のディスク状記憶媒体に記憶されている音楽データ等を再生する記憶媒体再生部４０を有している。オーディオ機器４の制御部３１は、ディスク状記憶媒体から記憶媒体再生部４０を介して再生した例えば音楽データを音声処理部３８に対して供給し、これによりこの音楽データに基づく音楽をスピーカ３９から出力するようになされている。
【００３７】
この後このオーディオ機器４の操作部３７に対し、例えばユーザがキーワード「旅行」を追加設定するキーワード追加設定操作を行うと、これに応じてオーディオ機器４の制御部３１は、当該新たなキーワード「旅行」を、設定情報記憶部３３に記憶している設定情報に書き加える。かくしてこのオーディオ機器４に対して、キーワード「サッカー」に加えてキーワード「旅行」が追加設定される。この結果このオーディオ機器４は、キーワード「サッカー」に関連するラジオ番組だけでなく、キーワード「旅行」に関連するラジオ番組も自動録音する。
【００３８】
またオーディオ機器４の制御部３１は、ユーザのキーワード追加設定操作によりキーワード「旅行」が追加設定されたとき、キーワード「旅行」が追加設定された旨を通知するための追加設定内容通知情報ＩＮＦ２を、送受信部３２及びネットワークＮＴを順次介して、ビデオレコーダ２及びテレビ３に対して送出する。
【００３９】
このときビデオレコーダ２では、制御部１２が、オーディオ機器４からの追加設定内容通知情報ＩＮＦ２を、ネットワークＮＴ及び送受信部１４を順次介して受信し、当該受信した追加設定内容通知情報ＩＮＦ２に基づいて、オーディオ機器４に対してキーワード「旅行」が追加設定されたことを認識すると、このキーワード「旅行」を設定情報記憶部１３に記憶している設定情報に書き加える。かくしてオーディオ機器４に対するキーワード追加設定操作により追加設定されたキーワード「旅行」が、ビデオレコーダ２に対しても追加設定される。この結果このビデオレコーダ２は、キーワード「サッカー」に関連するテレビ番組だけでなく、キーワード「旅行」に関連するテレビ番組も自動録画する。
【００４０】
同じようにテレビ３でも、制御部２１が、オーディオ機器４からの追加設定内容通知情報ＩＮＦ２を、ネットワークＮＴ及び送受信部２２を順次介して受信し、当該受信した追加設定内容通知情報ＩＮＦ２に基づいて、オーディオ機器４に対してキーワード「旅行」が追加設定されたことを認識すると、このキーワード「旅行」を設定情報記憶部２３に記憶している設定情報に書き加える。かくしてオーディオ機器４に対するキーワード追加設定操作により追加設定されたキーワード「旅行」が、テレビ３に対しても追加設定される。この結果このテレビ３は、キーワード「サッカー」に関連するテレビ番組だけでなく、キーワード「旅行」に関連するテレビ番組も自動選局する。
【００４１】
さらにこの後テレビ３の操作部２８に対し、例えばユーザが設定されているキーワード「旅行」を除外するキーワード除外設定操作を行うと、これに応じてテレビ３の制御部２１は、このキーワード「旅行」を設定情報記憶部２３に記憶している設定情報から消去する。かくしてこのテレビ３では、キーワード「サッカー」を残してキーワード「旅行」が除外設定される。この結果このテレビ３は、未だ設定されたままのキーワード「サッカー」に関連するテレビ番組だけを自動選局する。
【００４２】
またテレビ３の制御部２１は、ユーザのキーワード除外設定操作によりキーワード「旅行」が除外設定されたとき、キーワード「旅行」が除外設定された旨を通知するための除外設定内容通知情報ＩＮＦ３を、送受信部２２及びネットワークＮＴを順次介して、ビデオレコーダ２及びオーディオ機器４に対して送信する。
【００４３】
このときビデオレコーダ２では、制御部１２が、テレビ３からの除外設定内容通知情報ＩＮＦ３を、ネットワークＮＴ及び送受信部１４を順次介して受信し、当該受信した除外設定内容通知情報ＩＮＦ３に基づいて、テレビ３からキーワード「旅行」が除外設定されたことを認識すると、このキーワード「旅行」を設定情報記憶部１３に記憶している設定情報から消去する。かくしてテレビ３に対するキーワード除外設定操作により除外設定されたキーワード「旅行」が、ビデオレコーダ２からも除外設定される。この結果このビデオレコーダ２は、未だ設定されたままのキーワード「サッカー」に関連するテレビ番組だけを自動録画する。
【００４４】
同じようにオーディオ機器４でも、制御部３１が、テレビ３からの除外設定内容通知情報ＩＮＦ３を、ネットワークＮＴ及び送受信部３２を順次介して受信し、当該受信した除外設定内容通知情報ＩＮＦ３に基づいて、テレビ３からキーワード「旅行」が除外設定されたことを認識すると、このキーワード「旅行」を設定情報記憶部３３に記憶している設定情報から消去する。かくしてテレビ３に対するキーワード除外設定操作により除外設定されたキーワード「旅行」が、オーディオ機器４からも除外設定される。この結果このオーディオ機器４は、未だ設定されたままのキーワード「サッカー」に関連するラジオ番組だけを自動録音する。
【００４５】
そしてこの後、例えばオーディオ機器４の操作部３７に対してユーザが電源ＯＦＦ操作することにより、オーディオ機器４の電源がＯＦＦになった後、テレビ３の操作部２８に対してキーワード「ショッピング」を追加設定するキーワード設定操作が行われると、テレビ３に対して当該キーワード「ショッピング」が追加設定され、これに応じてビデオレコーダ２に対しても当該キーワード「ショッピング」が追加設定される。しかしながらこのときオーディオ機器４は電源ＯＦＦになっているので、当該キーワード「ショッピング」が追加設定されない。
【００４６】
やがて、オーディオ機器４の操作部３７に対してユーザが電源ＯＮ操作することにより、オーディオ機器４の電源がＯＮになると、このときオーディオ機器４の制御部３１は、ビデオレコーダ２及びテレビ３に設定されているキーワードを通知するように要求する通知要求信号を、送受信部３２及びネットワークＮＴを順次介して、ビデオレコーダ２及びテレビ３に対し送信する。
【００４７】
このときビデオレコーダ２の制御部１２は、オーディオ機器４からの通知要求信号を、ネットワークＮＴ及び送受信部１４を介して受信すると、これに応じて設定情報記憶部１３に記憶している設定情報を、送受信部１４及びネットワークＮＴを順次介してオーディオ機器４に対して送信する。因みにこのときこのビデオレコーダ２の設定情報（以下、これをビデオレコーダ設定情報と呼ぶ）には、キーワード「サッカー」、「ショッピング」が示されている。
【００４８】
またテレビ３の制御部２１も、オーディオ機器４からの通知要求信号を、ネットワークＮＴ及び送受信部２２を介して受信すると、これに応じて設定情報記憶部２３に記憶している設定情報を、送受信部２２及びネットワークＮＴを順次介してオーディオ機器４に対して送信する。因みにこのときこのテレビ３の設定情報（以下、これをテレビ設定情報と呼ぶ）にも、キーワード「サッカー」、「ショッピング」が示されている。
【００４９】
オーディオ機器４の制御部３１は、ビデオレコーダ２及びテレビ３からのビデオレコーダ設定情報及びテレビ設定情報を、ネットワークＮＴ及び送受信部３２を順次介して受信すると、自身の設定情報記憶部３３に記憶中の設定情報に示されていないキーワードであって、受信したビデオレコーダ設定情報及びテレビ設定情報に示されているキーワード（この場合「ショッピング」）を認識する。そしてオーディオ機器４の制御部３１は、当該認識したキーワード「ショッピング」を、設定情報記憶部３３に記憶中の設定情報に書き加える。
【００５０】
このようにして、オーディオ機器４が電源ＯＦＦになっている期間中に、ビデオレコーダ２及びテレビ３に対してのみキーワード「ショッピング」が追加設定された場合であっても、オーディオ機器４が電源ＯＮになった際に、このオーディオ機器４に対して当該キーワード「ショッピング」が追加設定されるようになされている。
【００５１】
以上のように、各機器（２、３、４）は、キーワードを新規設定するキーワード新規設定操作やキーワードを追加設定するキーワード追加設定操作やキーワードを除外設定するキーワード除外設定操作等のキーワード設定操作が行われると、自身のキーワード設定を変更すると共に、当該設定変更内容を通知するための設定変更内容通知情報（ＩＮＦ１、ＩＮＦ２、ＩＮＦ３）を他の機器（２、３、４）に対して送信する。また各機器（２、３、４）は、他の機器（２、３、４）から受信した設定変更内容通知情報（ＩＮＦ１、ＩＮＦ２、ＩＮＦ３）に基づいて自身のキーワード設定を変更するようにした。
【００５２】
この結果、何れかの機器（２、３、４）に対して行われたキーワード設定操作を他の機器（２、３、４）へ自動的に反映させることができ、この結果キーワード設定操作する際の作業負荷を格段と低減することができる。
【００５３】
次に図５に示すシーケンスチャートを用いて、キーワード設定反映処理の処理手順ＲＴ１を説明する。なおここでは、オーディオ機器４が電源ＯＦＦになっていて、ビデオレコーダ２及びテレビ３が電源ＯＮになっている状況から説明を開始する。
【００５４】
オーディオ機器４の操作部３７に対し電源ＯＮ操作が行われると、ステップＳＰ１においてオーディオ機器４が起動する。次いでオーディオ機器４の制御部３１はステップＳＰ２へ進み、ビデオレコーダ２及びテレビ３に設定されているキーワードを通知するように要求する通知要求信号を、ビデオレコーダ２及びテレビ３に対し送信する。
【００５５】
ビデオレコーダ２の制御部１２は、オーディオ機器４からの通知要求信号を受信するとステップＳＰ３へ進み、自身の設定情報記憶部１３に記憶されているビデオレコーダ設定情報をオーディオ機器４に対して送信する。またテレビ３の制御部２１も、オーディオ機器４からの通知要求信号を受信するとステップＳＰ４へ進み、自身の設定情報記憶部２３に記憶されているテレビ設定情報をオーディオ機器４に対して送信する。
【００５６】
因みにこのビデオレコーダ設定情報及びテレビ設定情報には、キーワード「サッカー」、「ショッピング」が示されているものとする。またこのときオーディオ機器４に対しては、キーワード「サッカー」だけが設定されているものとする。
【００５７】
オーディオ機器４の制御部３１は、ビデオレコーダ２及びテレビ３からのビデオレコーダ設定情報及びテレビ設定情報を受信すると、自身に設定されていないキーワードであって、受信したビデオレコーダ設定情報及びテレビ設定情報に示されているキーワード（この場合「ショッピング」）を認識する。
【００５８】
またこの際このオーディオ機器４の制御部３１は、当該認識したキーワード「ショッピング」をオーディオ機器４に追加設定するか否かをユーザに選択させるための選択画面を、表示部４２に表示するようになされている。
【００５９】
この状態において、ユーザにより操作部３７を介してこのキーワード「ショッピング」を追加設定する旨の操作が行われると、これに応じてオーディオ機器４の制御部３１は、続くステップＳＰ６で肯定結果を得てステップＳＰ７へ進む。そしてステップＳＰ７においてオーディオ機器４の制御部３１は、当該認識したキーワード「ショッピング」を追加設定する。
【００６０】
一方、かかる選択画面が表示されている状態において、ユーザにより操作部３７を介してこのキーワード「ショッピング」を追加設定しない旨の操作が行われると、これに応じてオーディオ機器４の制御部３１は、続くステップＳＰ６で否定結果を得てステップＳＰ７をスキップするようになされている。
【００６１】
この後オーディオ機器４の操作部３７に対し、例えばユーザがキーワード「旅行」を追加設定するキーワード追加設定操作を行うと、これに応じてオーディオ機器４の制御部３１はステップＳＰ８へ進み、このキーワード「旅行」を追加設定する。
【００６２】
またこの際このオーディオ機器４の制御部３１は、当該追加設定したキーワード「旅行」をビデオレコーダ２及びテレビ３に対しても追加設定するか否かをユーザに選択させるための選択画面を、表示部４２に表示するようになされている。
【００６３】
この状態において、ユーザにより操作部３７を介して、このキーワード「旅行」をビデオレコーダ２及びテレビ３に対しても追加設定する旨の操作が行われると、これに応じてオーディオ機器４の制御部３１は、続くステップＳＰ９で肯定結果を得てステップＳＰ１０へ進む。そしてステップＳＰ１０においてオーディオ機器４の制御部３１は、キーワード「旅行」が追加設定された旨を示す追加設定内容通知情報ＩＮＦ２を、ビデオレコーダ２及びテレビ３に対して送信する。
【００６４】
一方、かかる選択画面が表示されている状態において、ユーザにより操作部３７を介してこのキーワード「旅行」をビデオレコーダ２及びテレビ３に対して追加設定しない旨の操作が行われると、これに応じてオーディオ機器４の制御部３１は、ステップＳＰ９で否定結果を得てステップＳＰ１０をスキップするようになされている。
【００６５】
一方、ビデオレコーダ２の制御部１２は、オーディオ機器４からかかる追加設定内容通知情報ＩＮＦ２を受信するとステップＳＰ１１へ進み、これに基づいてキーワード「旅行」を自身に追加設定する。またテレビ３の制御部２１も、オーディオ機器４からかかる追加設定内容通知情報ＩＮＦ２を受信するとステップＳＰ１２へ進み、これに基づいてキーワード「旅行」を自身に追加設定するようになされている。
【００６６】
以上の構成において、各機器（２、３、４）は、キーワード設定操作が行われると自身のキーワード設定を変更すると共に、当該設定変更内容を通知するための設定変更内容通知情報（ＩＮＦ１、ＩＮＦ２、ＩＮＦ３）を他の機器（２、３、４）に対して送信する。また各機器（２、３、４）は、他の機器（２、３、４）から受信した設定変更内容通知情報（ＩＮＦ１、ＩＮＦ２、ＩＮＦ３）に基づいて自身のキーワード設定を変更するようにした。
【００６７】
この結果、何れかの機器（２、３、４）に対して行われたキーワード設定操作を他の機器（２、３、４）へ自動的に反映させることができる。
【００６８】
以上の構成によれば、何れかの機器（２、３、４）に対して行われたキーワード設定操作を他の機器（２、３、４）へ自動的に反映させることができるので、この結果キーワード設定操作する際の作業負荷を格段と低減することができる。
【００６９】
（２）第２の実施の形態
この第２の実施の形態は、第１の実施の形態と同様のシステム構成（図１）からなる。
【００７０】
また図３との対応部分に同一符号を付した図６に示すように、この第２の実施の形態のテレビ３Ｘは、テンプレート記憶部５１を有している点を除いて、第１の実施の形態のテレビ３と同様の構成でなる。
【００７１】
このテンプレート記憶部５１には、ユーザに選択させるキーワードが複数示されたキーワードリストデータ（以下、これをテンプレートデータと呼ぶ）が予め記憶されている。
【００７２】
例えばこのテレビ３Ｘの操作部２８に対し、ユーザがキーワード設定を開始するためのキーワード設定開始操作を行うと、これに応じてテレビ３Ｘの制御部２１は、テンプレート記憶部５１に記憶されているテンプレートデータを読み出し、これを復調部２５に対して供給する。
【００７３】
復調部２５は制御部２１による制御のもと、供給されたテンプレートデータに復調処理を施し、この結果得られた映像信号を表示部２６に供給する。この結果この表示部２６には、図７に示すようなテンプレート画面が表示される。このテンプレート画面には、テンプレートデータに示されている複数のキーワードが一覧表示される。
【００７４】
この状態において、ユーザが操作部２８を介してテンプレート画面中のキーワード「サッカー」を選択する操作を行うと、これに応じてテレビ３Ｘの制御部２１は、当該選択されたキーワード「サッカー」を示した設定情報を生成し、これを設定情報記憶部２３に記憶する。この結果これ以降このテレビ３Ｘは、設定情報記憶部２３に記憶されている設定情報に示されたキーワード「サッカー」に関連するテレビ番組を自動選局する。
【００７５】
かくしてユーザは、操作部２８を介してキーワードを１字ずつ入力しなくとも、テンプレート画面中から所望のキーワードを選択するだけで、キーワードを設定することができる。
【００７６】
また例えばユーザがテレビ３Ｘの操作部２８を介して、テンプレート画面に選択対象として表示させるキーワードを追加するキーワード追加操作としてキーワード「仕事」を入力すると、このときテレビ３Ｘの制御部２１は、当該入力されたキーワード「仕事」を、テンプレート記憶部５１に記憶されているテンプレートデータに書き加える。この結果、次回以降表示されるテンプレート画面には、当該追加されたキーワード「仕事」も選択対象として表示される。
【００７７】
このようにしてユーザは、任意のキーワードをテンプレート画面に追加表示させることができ、かくしてキーワード選択する際の幅を広げることができる。
【００７８】
またテレビ３Ｘの制御部２１は、キーワード「仕事」を追加するキーワード追加操作が行われたことによりテレビ３Ｘのテンプレートデータにキーワード「仕事」が追加された際、この旨を通知するための追加内容通知情報ＩＮＦ４を、送受信部２２及びネットワークＮＴを順次介して、ビデオレコーダ２及びオーディオ機器４に対して送信する。
【００７９】
因みに図２との対応部分に同一符号を付した図８に示すように、この第２の実施の形態のビデオレコーダ２Ｘは、テンプレート記憶部５２を有している点を除いて、第１の実施の形態のビデオレコーダ２と同様の構成でなる。また図４との対応部分に同一符号を付した図９に示すように、この第２の実施の形態のオーディオ機器４Ｘも、テンプレート記憶部５３を有している点を除いて、第１の実施の形態のオーディオ機器４と同様の構成でなる。
【００８０】
このビデオレコーダ２Ｘでは、制御部１２が、テレビ３Ｘからの追加内容通知情報ＩＮＦ４を、ネットワークＮＴ及び送受信部１４を順次介して受信し、当該受信した追加内容通知情報ＩＮＦ４に基づいて、キーワード「仕事」がテレビ３Ｘのテンプレートデータに追加された旨を認識すると、このキーワード「仕事」を、テンプレート記憶部５２に予め記憶されているテンプレートデータに書き加える。
【００８１】
この後このビデオレコーダ２Ｘの操作部１１に対し、ユーザがキーワード設定を開始するためのキーワード設定開始操作を行うと、これに応じてビデオレコーダ２Ｘの制御部１２は、テンプレート記憶部５２から、キーワード「仕事」が書き加えられたテンプレートデータを読み出し、当該読み出したテンプレートデータを、分離部１７を介して映像データ処理部１９に対して供給する。このとき映像データ処理部１９は、供給されたテンプレートデータをデコード処理し、得られた映像信号をテレビ３Ｘに対して供給する。この結果このテレビ３Ｘには、キーワード「仕事」を含む種々のキーワードが示されたテンプレート画面が表示される。
【００８２】
この状態において、ユーザがテレビ３Ｘを見ながらビデオレコーダ２Ｘの操作部１１を介してテンプレート画面中のキーワード「仕事」を選択するキーワード選択操作を行うと、これに応じてビデオレコーダ２Ｘの制御部１２は、当該選択されたキーワード「仕事」を示した設定情報を生成し、これを設定情報記憶部１３に記憶する。この結果これ以降このビデオレコーダ２Ｘは、設定情報記憶部１３に記憶されている設定情報に示されたキーワード「仕事」に関連するテレビ番組を自動録画する。
【００８３】
またオーディオ機器４Ｘでも、制御部３１が、テレビ３Ｘからの追加内容通知情報ＩＮＦ４を、ネットワークＮＴ及び送受信部３２を順次介して受信し、当該受信した追加内容通知情報ＩＮＦ４に基づいて、キーワード「仕事」がテレビ３Ｘのテンプレートデータに追加された旨を認識すると、このキーワード「仕事」を、テンプレート記憶部５３に予め記憶されているテンプレートデータに書き加える。
【００８４】
この後このオーディオ機器４Ｘの操作部３７に対し、ユーザがキーワード設定を開始するためのキーワード設定開始操作を行うと、これに応じてオーディオ機器４Ｘの制御部３１は、テンプレート記憶部５３から、キーワード「仕事」が書き加えられたテンプレートデータを読み出し、当該読み出したテンプレートデータを、表示処理部４１に対して供給する。このとき表示処理部４１は、供給されたテンプレートデータをデコード処理し、得られた映像信号を表示部４２に対して供給する。この結果この表示部４２には、キーワード「仕事」を含む種々のキーワードが示されたテンプレート画面が表示される。
【００８５】
この状態において、ユーザが操作部３７を介してテンプレート画面中のキーワード「仕事」を選択するキーワード選択操作を行うと、これに応じてオーディオ機器４Ｘの制御部３１は、当該選択されたキーワード「仕事」を示した設定情報を生成し、これを設定情報記憶部３３に記憶する。この結果これ以降このオーディオ機器４Ｘは、設定情報記憶部３３に記憶されている設定情報に示されたキーワード「仕事」に関連するラジオ番組を自動録音する。
【００８６】
この後、ユーザがこのオーディオ機器４Ｘの操作部３７を介して、テンプレートデータからキーワード「サッカー」を消去するキーワード消去操作を行うと、これに応じてオーディオ機器４Ｘの制御部３１は、当該キーワード「サッカー」を、テンプレート記憶部５３に記憶されているテンプレートデータから消去する。
【００８７】
このときオーディオ機器４Ｘの制御部３１は、キーワード「サッカー」がテンプレートデータから消去された旨を通知するための消去内容通知情報ＩＮＦ５を、送受信部３２及びネットワークＮＴを順次介して、ビデオレコーダ２Ｘ及びテレビ３Ｘに対して送信する。
【００８８】
このときビデオレコーダ２Ｘでは、制御部１２が、オーディオ機器４Ｘからの消去内容通知情報ＩＮＦ５を、ネットワークＮＴ及び送受信部１４を順次介して受信し、当該受信した消去内容通知情報ＩＮＦ５に基づいて、キーワード「サッカー」がオーディオ機器４Ｘのテンプレートデータから消去された旨を認識すると、このキーワード「サッカー」を、テンプレート記憶部５２に記憶されているテンプレートデータから消去する。
【００８９】
またテレビ３Ｘにおいても、制御部２１が、オーディオ機器４Ｘからの消去内容通知情報ＩＮＦ５を、ネットワークＮＴ及び送受信部２２を順次介して受信し、当該受信した消去内容通知情報ＩＮＦ５に基づいて、キーワード「サッカー」がオーディオ機器４Ｘのテンプレートデータから消去された旨を認識すると、このキーワード「サッカー」を、テンプレート記憶部５１に記憶されているテンプレートデータから消去する。
【００９０】
以上のように、各機器（２Ｘ、３Ｘ、４Ｘ）は、テンプレートデータに対してキーワードを追加するキーワード追加操作やキーワードを消去するキーワード消去操作等のテンプレート編集操作が行われることにより自身のテンプレートデータを編集すると、その編集内容を通知するための編集内容通知情報（ＩＮＦ４、ＩＮＦ５）を他の機器（２Ｘ、３Ｘ、４Ｘ）に対して送信する。また各機器（２Ｘ、３Ｘ、４Ｘ）は、他の機器（２Ｘ、３Ｘ、４Ｘ）から編集内容通知情報（ＩＮＦ４、ＩＮＦ５）を受信すると、当該受信した編集内容通知情報（ＩＮＦ４、ＩＮＦ５）に基づいて、自身のテンプレートデータを編集するようにした。
【００９１】
この結果、何れかの機器（２Ｘ、３Ｘ、４Ｘ）に対して行われたテンプレート編集操作を他の機器（２Ｘ、３Ｘ、４Ｘ）へ自動的に反映させることができ、この結果テンプレート編集操作する際の作業負荷を格段と低減することができる。
【００９２】
次に図１０に示すシーケンスチャートを用いて、テンプレート編集反映処理の処理手順ＲＴ２を説明する。
【００９３】
例えばオーディオ機器４Ｘの操作部３７に対し、キーワード「仕事」を追加するキーワード追加操作が行われると、これに応じてオーディオ機器４Ｘの制御部３１はステップＳＰ２１へ進み、テンプレート記憶部５３に記憶されているテンプレートデータに対してキーワード「仕事」を書き加える。
【００９４】
またこの際このオーディオ機器４Ｘの制御部３１は、オーディオ機器４Ｘのテンプレートデータに追加されたキーワード「仕事」をビデオレコーダ２Ｘ及びテレビ３Ｘのテンプレートデータにも追加するか否かをユーザに選択させるための選択画面を、表示部４２に表示する。
【００９５】
この状態において、ユーザにより操作部３７を介して、このキーワード「仕事」をビデオレコーダ２Ｘ及びテレビ３Ｘのテンプレートデータに対しても追加する旨の操作が行われると、これに応じてオーディオ機器４Ｘの制御部３１は、続くステップＳＰ２２で肯定結果を得てステップＳＰ２３へ進む。そしてステップＳＰ２３においてオーディオ機器４Ｘの制御部３１は、テンプレートデータに対してキーワード「仕事」が追加された旨を示す追加内容通知情報ＩＮＦ４を、ビデオレコーダ２Ｘ及びテレビ３Ｘに対して送信する。
【００９６】
一方、かかる選択画面が表示されている状態において、ユーザにより操作部３７を介してこのキーワード「仕事」をビデオレコーダ２Ｘ及びテレビ３Ｘのテンプレートデータに対して追加しない旨の操作が行われると、これに応じてオーディオ機器４Ｘの制御部３１は、ステップＳＰ２２で否定結果を得てステップＳＰ２３をスキップするようになされている。
【００９７】
一方、ビデオレコーダ２Ｘの制御部１２は、オーディオ機器４Ｘからかかる追加内容通知情報ＩＮＦ４を受信するとステップＳＰ２４へ進み、これに基づいてキーワード「仕事」を自身のテンプレートデータに追加する。またテレビ３Ｘの制御部２１も、オーディオ機器４Ｘからかかる追加内容通知情報ＩＮＦ４を受信するとステップＳＰ２５へ進み、これに基づいてキーワード「仕事」を自身のテンプレートデータに追加するようになされている。
【００９８】
以上の構成において、各機器（２Ｘ、３Ｘ、４Ｘ）は、テンプレート編集操作が行われることによりテンプレートデータが編集されると、その編集内容を通知するための編集内容通知情報（ＩＮＦ４、ＩＮＦ５）を他の機器（２Ｘ、３Ｘ、４Ｘ）に対して送信する。また各機器（２Ｘ、３Ｘ、４Ｘ）は、他の機器（２Ｘ、３Ｘ、４Ｘ）から編集内容通知情報（ＩＮＦ４、ＩＮＦ５）を受信すると、当該受信した編集内容通知情報（ＩＮＦ４、ＩＮＦ５）に基づいて、自身のテンプレートデータを編集するようにした。
【００９９】
この結果、何れかの機器（２Ｘ、３Ｘ、４Ｘ）に対して行われたテンプレート編集操作を他の機器（２Ｘ、３Ｘ、４Ｘ）へ自動的に反映させることができる。
【０１００】
以上の構成によれば、何れかの機器（２Ｘ、３Ｘ、４Ｘ）に対して行われたテンプレート編集操作を他の機器（２Ｘ、３Ｘ、４Ｘ）へ自動的に反映させることができるので、この結果テンプレート編集操作する際の作業負荷を格段と低減することができる。
【０１０１】
（３）他の実施の形態
なお上述の実施の形態においては、図５に示すステップＳＰ１及びＳＰ２並びにステップＳＰ５乃至ステップＳＰ１０の処理を、オーディオ機器４が実行する場合について述べたが、本発明はこれに限らず、ビデオレコーダ２やテレビ３が実行するようにしても良い。
【０１０２】
また上述の実施の形態においては、図１０に示すステップＳＰ２１乃至ステップＳＰ２３の処理を、オーディオ機器４Ｘが実行する場合について述べたが、本発明はこれに限らず、ビデオレコーダ２Ｘやテレビ３Ｘが実行するようにしても良い。
【０１０３】
さらに上述の実施の形態においては、例えば、テレビ放送局から提供される複数種のテレビ番組データのうち設定されているキーワードに応じたテレビ番組データを記録するようになされたビデオレコーダ２に対しキーワード設定操作が行われると、当該ビデオレコーダ２は、キーワード設定を変更（更新）すると共に、当該変更内容をテレビ３及びビデオレコーダ２に対して通知する場合について述べたが、本発明はこれに限らず、これらビデオレコーダ２、テレビ３及びオーディオ機器４にキーワードを設定するための専用装置（例えばパーソナルコンピュータ）を別途設けても良い。
【０１０４】
この場合このパーソナルコンピュータは、ネットワークＮＴに接続されており、例えばユーザによりキーワード設定操作としてキーワード「遊び」が入力されると、当該入力されたキーワード「遊び」を示した設定内容通知情報を生成し、当該生成した設定内容通知情報を、ネットワークＮＴを介してビデオレコーダ２、テレビ３及びオーディオ機器４に対して送信する。この結果これらビデオレコーダ２、テレビ３及びオーディオ機器４は、それぞれ受信した設定内容通知情報に基づいて、キーワード「遊び」を設定するようになされている。
【０１０５】
さらに上述の実施の形態においては、情報処理装置として、テレビ３、ビデオレコーダ２及びオーディオ機器４を適用する場合について述べたが、本発明はこれに限らず、パーソナルコンピュータや携帯電話機等の種々の情報処理装置を適用することができる。
【０１０６】
さらに上述の実施の形態においては、外部装置と通信する通信手段として、ネットワークインターフェース等からなる送受信部（１４、２２、３２）を適用する場合について述べたが、本発明はこれに限らず、外部装置と無線通信するための無線通信部等を適用するようにしても良い。
【０１０７】
さらに上述の実施の形態においては、放送情報（ラジオ放送信号及びテレビ放送信号）を受信し当該受信した放送情報を放送データ（ラジオ番組データ及びテレビ番組データ）に変換して出力する放送受信手段として、チューナ部（１５、２４、３４）及び復調部（１６、２５、３５）を適用する場合について述べたが、本発明はこれに限らず、インターネットラジオサーバからインターネットＩＮＴを介してラジオ番組データを受信するネットワークインターフェース等を適用するようにしても良い。
【０１０８】
さらに上述の実施の形態においては、放送データが記録される記録媒体として、ハードディスクドライブ等からなるテレビ番組データ記憶部１８及びラジオ番組データ記憶部３６を適用する場合について述べたが、本発明はこれに限らず、ＣＤ（Compact Disc）やＤＶＤ（Digital Versatile Disc）等を適用するようにしても良い。
【０１０９】
さらに上述の実施の形態においては、記憶媒体に放送データを記録する記録手段、キーワードを設定する設定手段、放送情報に関連する番組表（ラジオ番組表データ及びテレビ番組表データ）の中からキーワードに関連する番組を検出する番組検出手段、番組検出手段により検出された番組の放送データを記録媒体に記録するように記録手段を制御する記録制御手段、設定手段によりキーワードの設定が更新された場合当該更新内容を示したキーワード更新情報（ＩＮＦ１〜ＩＮＦ３）を外部装置に対して送信するように通信手段を制御する通信制御手段、テンプレート（テンプレートデータ）に対して追加すべき新たなキーワードが入力されると当該新たなキーワードをテンプレートに対して追加するテンプレート更新手段として、ＣＰＵ等からなる制御部（１２、２１、３１）を適用する場合について述べたが、本発明はこれに限らず、ＭＰＵ（Micro Processing Unit）等のこの他種々の構成を適用するようにしても良い。
【０１１０】
さらに上述の実施の形態においては、キーワードの入力を支援するテンプレート（テンプレート画面）を出力するテンプレート出力手段として、液晶ディスプレイ等からなる表示部（２６、４２）を適用する場合について述べたが、本発明はこれに限らず、ＣＲＴ（Cathode Ray Tube）等を適用するようにしても良い。
【０１１１】
さらに上述の実施の形態においては、分離部１７としてデマルチプレクサ等を適用し、テンプレート記憶部（５１、５２、５３）及び設定情報記憶部（１３、２３、４０）として例えば半導体メモリ等を適用する場合について述べたが、本発明はこれに限らず、この他種々の構成を適用するようにしても良い。
【０１１２】
さらに上述の実施の形態においては、ビデオレコーダ２、２Ｘの制御部１２、テレビ３、３Ｘの制御部２１及びオーディオ機器４、４Ｘの制御部３１が、それぞれ各回路部を制御することにより、キーワード設定反映処理手順ＲＴ１及びテンプレート編集反映処理手順ＲＴ２を、ハードウェア的に実行する場合について述べたが、本発明はこれに限らず、ビデオレコーダ２、２Ｘの制御部１２、テレビ３、３Ｘの制御部２１及びオーディオ機器４、４Ｘの制御部３１が、インストールされているプログラムに従って、キーワード設定反映処理手順ＲＴ１及びテンプレート編集反映処理手順ＲＴ２を、ソフトウェア的に実行するようにしても良い。
【産業上の利用可能性】
【０１１３】
本発明は、複数の情報処理装置に対しキーワードを設定する場合等に利用することができる。
【図面の簡単な説明】
【０１１４】
【図１】第１及び第２の実施の形態におけるキーワード設定システムの構成を示す略線図である。
【図２】ビデオレコーダの構成（１）を示す回路ブロック図である。
【図３】テレビの構成（１）を示す回路ブロック図である。
【図４】オーディオ機器の構成（１）を示す回路ブロック図である。
【図５】キーワード設定反映処理手順を示すシーケンスチャートである。
【図６】テレビの構成（２）を示す回路ブロック図である。
【図７】テンプレート画面を示す略線図である。
【図８】ビデオレコーダの構成（２）を示す回路ブロック図である。
【図９】オーディオ機器の構成（２）を示す回路ブロック図である。
【図１０】テンプレート編集反映処理手順を示すシーケンスチャートである。
【符号の説明】
【０１１５】
１……キーワード設定システム、２……ビデオレコーダ、３……テレビ、４……オーディオ機器、１２、２１、３１……制御部、１４、２２、３２……送受信部、１３、２３、３３……設定情報記憶部、ＲＴ１……キーワード設定反映処理手順、ＲＴ２……テンプレート編集反映処理手順。
【図１】
2005333476.tif 000003
【図２】
2005333476.tif 000004
【図３】
2005333476.tif 000005
【図４】
2005333476.tif 000006
【図５】
2005333476.tif 000007
【図６】
2005333476.tif 000008
【図７】
2005333476.tif 000009
【図８】
2005333476.tif 000010
【図９】
2005333476.tif 000011
【図１０】
2005333476.tif 000012